(57)【特許請求の範囲】
【請求項１】
送信される情報毎に当該情報の種別を示す識別子が付加された複数の情報を受信する受信手段と、
この受信手段により受信された前記複数の情報を記憶する記憶手段と、
この記憶手段に記憶された各情報に付加されている識別子を識別する識別手段と、
この識別手段により識別された前記識別子に基づき、前記記憶手段に記憶された複数の情報を予め決定されている表示順序であって前記受信手段により受信された送信時の順序とは異なる順序で表示する表示手段と、
を有することを特徴とする情報記憶装置。
【請求項２】
前記表示手段は、前記各情報を前記受信手段が受信した順序とは異なる順序で配列して表示することを特徴とする請求項１記載の情報記憶装置。
【請求項３】
前記情報毎の記憶領域を有し、情報毎の記憶領域の配列順序が前記受信手段により受信される情報の受信順序とは異なる第２の記憶手段と、
前記識別手段により識別された識別子が示す情報に対応する前記記憶領域に、当該識別子が付加されている情報を記憶させる制御手段とを備え、
前記表示手段は、前記第２の記憶手段の各記憶領域に記憶された情報を、該記憶領域の配列の順序に従って、前記送信時の順序とは異なる順序で表示することを特徴とする請求項１記載の情報記憶装置。
【請求項４】
前記制御手段は、前記識別手段により識別された識別子が示す情報に対応する記憶領域がない場合、当該識別子が付加されている情報を前記第２の記憶手段に記憶させないことを特徴とする請求項３記載の情報記憶装置。
【請求項５】
送信装置と受信装置とからなる送受信システムにおいて、
前記送信装置は、
情報毎に当該情報の種別を示す識別子が付加された複数の情報を送信する送信手段を有し、
前記受信装置は、
前記送信手段から送信された前記複数の情報を受信する受信手段と、
この受信手段により受信された前記複数の情報を記憶する記憶手段と、
この記憶手段に記憶された各情報に付加されている識別子を識別する識別手段と、
この識別手段により識別された前記識別子に基づき、前記記憶手段に記憶された複数の情報を予め決定されている表示順序であって前記受信手段により受信された送信時の順序とは異なる順序で表示する表示手段と、
を有することを特徴とする送受信システム。
【発明の詳細な説明】
【０００１】
【発明の属する技術分野】
本発明は、受信した情報を整理して記憶する情報記憶装置及び送受信システムに関する。
【０００２】
【従来の技術】
電子手帳等の情報機器においては、パソコン通信や光通信により入力された情報を記憶するためのメモ帳メモリーが設けられている。このメモ帳メモリーに情報を記憶させるに際しては、入力された全データ（例えば、コンサート情報、映画情報、食べ物情報等）を一括して別のメモリーに保存しておく。そして、キー操作等により、メモ帳メモリーに各データを記憶させるに適切なエリアを形成した後、保存してある全データを表示させ、いずれかのデータを指定することにより、該当するメモ帳メモリーのエリアにデータを移動させて記憶させる。
【０００３】
【発明が解決しようとする課題】
このように、従来においてはユーザーが手動操作により、各データを記憶させるためのエリアを形成したり、該当するエリアにデータを移動させる操作を行わなければならないことから、入力されたデータを整理して記憶させるための操作が煩雑であるとともに多くの時間を要してしまう。しかも、各データは例えば、コンサートの名称、場所、日時等の複数種の項目から構成されている場合があることから、各項目毎のエリアを作成したり、この作成したエリアに該当する項目のデータを移動させる操作を行わなければならず、その操作は極めて煩雑となる。
【０００４】
本発明は、このような従来の課題に鑑みてなされたものであり、受信した情報を自動的に整理して記憶させることのできる情報記憶装置及び送受信システムを提供することを目的とするものである。
【０００７】
【課題を解決するための手段】
前記課題を解決するため本発明にかかる情報記憶装置にあっては、送信される情報毎に当該情報の種別を示す識別子が付加された複数の情報を受信する受信手段と、この受信手段により受信された前記複数の情報を記憶する記憶手段と、この記憶手段に記憶された各情報に付加されている識別子を識別する識別手段と、この識別手段により識別された前記識別子に基づき、前記記憶手段に記憶された複数の情報を予め決定されている表示順序であって前記受信手段により受信された送信時の順序とは異なる順序で表示する表示手段とを有している。また、本発明にかかる送受信システムにあっては、送信装置と受信装置とからなる送受信システムにおいて、前記送信装置は、情報毎に当該情報の種別を示す識別子が付加された複数の情報を送信する送信手段を有し、前記受信装置は、前記送信手段から送信された前記複数の情報を受信する受信手段と、この受信手段により受信された前記複数の情報を記憶する記憶手段と、この記憶手段に記憶された各情報に付加されている識別子を識別する識別手段と、この識別手段により識別された前記識別子に基づき、前記記憶手段に記憶された複数の情報を予め決定されている表示順序であって前記受信手段により受信された送信時の順序とは異なる順序で表示する表示手段とを有している。
【０００８】
かかる構成において、受信手段により複数の情報が受信されると、識別手段はこの情報に各項目に付加されている識別子を識別する。表示手段は、この識別手段により識別された前記識別子に基づき、予め決定されている表示順序であって前記受信手段が受信した順序とは異なる順序で情報を表示する。
【０００９】
【発明の実施の形態】
以下、本発明の実施の形態を図に従って説明する。図１は、本発明の一実施の形態を適用した移動体ＦＭ文字多重放送のシステム構成を示すものである。この移動体ＦＭ文字多重放送のシステムは、サービス情報の製作会社であるサービスセンター２と、このサービスセンター２で製作されたサービス情報を多重化したＦＭ放送電波を送信する事業者であるＦＭ放送局３と、このＦＭ放送局３からのＦＭ放送電波を受信するサービス情報受信装置１とを有してなり、サービスセンター９１で製作されたサービス情報はＦＭ放送局３に送られ、ＦＭ放送局３等が製作した番組とともに送信される。なお、サービスセンター２からＦＭ放送局３へのサービス情報の移送は、有線、無線、あるいは磁気テープに記録して搬送する等の種々の方法を採用し得る。
【００１０】
図２は、サービス情報受信装置１の構成を示すブロック図であり、このサービス情報受信装置１は、ＦＭ放送電波を受信し対応する音声を発音するＦＭラジオ部３０と、このＦＭラジオ部３０により受信したＦＭ放送電波に多重化されているサービス情報の受信に対する各種の処理を行うサービス情報受信部５とを有している。ＦＭラジオ部３０は、ＦＭ放送電波を受信するアンテナ３１と、ＦＭ放送電波のチューニングを行うＦＭチューナ３２と、ＦＭ信号の復調を行うＦＭ復調器３３と、復調されたＦＭ信号をステレオ信号にするステレオ復調器３４と、このステレオ復調器３４の出力信号を増幅する一対のアンプ３５ａ，３５ｂと、アンプ３５ａ，３５ｂで増幅された信号を音声として出力する一対のスピーカ３６ａ，３６ｂとを具備している。なお、図示しないステレオヘッドホン用ジャックにステレオヘッドホンを装着して、ＦＭステレオ放送を聴取することも勿論可能である。
【００１１】
前記サービス情報受信部５は、前記ＦＭ復調器３３に接続され、前記ＦＭステレオ放送のＬ、Ｒ信号の変調度に対して多重信号の大きさ（レベル）を４〜１０％まで変化させるデジタル変調を行いＦＭ放送電波に多重化されているサービス情報を分離するＬ−ＭＳＫ(Level Controlled Minimum Shift Keying)復調器４１と、誤り訂正復号器４２と、このサービス情報受信装置１において必要となる全ての処理及び制御を実行する制御部４とを有している。
【００１２】
この制御部４は、ＣＰＵからなり後述するフローに従って動作することにより、本実施の形態において識別手段及び制御手段を構成するものである。この制御部４に対して、処理プログラムを格納したＲＯＭ１５と、複数のキーが設けられたキー入力部６、ＬＣＤからなる表示部７、及び第１ＲＡＭ８と記憶手段としての第２ＲＡＭ９、及び前記キー入力部６におけるチューニングキーの操作に応じて前記ＦＭチューナ３２の受信チューニングを行う受信制御部１０とが接続されている。
【００１３】
図３は、前記ＦＭ放送局３に配置されるサービス情報送信装置７０を示すものであり、このサービス情報送信装置７０は、送信部７１と、多重化処理部７２及び有料、無料のサービス情報を多重化処理部７２に送り出す送信処理部７３を具備している。送信部７１は、音声情報のステレオ変調を行うステレオ変調器７５、ＦＭ変調器７６、送信器７７、及び送信アンテナ７８とを具備している。多重化処理部７２は、符号化部８２、多重化部７９、誤り訂正付加器８０、及びＬ−ＭＳＫ変調器８１を具備している。
【００１４】
図４は、前記ＦＭ放送電波に多重化されるサービス情報の送信信号フォーマットを示すものであり、このサービス情報は、１７６ビット（２２バイト）構成であって、３２ビット（４バイト）からなるプリフィックスと１４４ビット（１８バイト）データブロックとで構成されている。プリフィックスは、サービス識別、復号識別、情報終了、更新、データグループ番号、データバケット番号で構成され、データブロックは、ＳＯＨ（ヘッディング開始符号）、データグループヘッダー、データグループデータで構成されている。データグループデータは、データヘッダー識別、データヘッダーデータ及びデータユニットデータで構成され、このデータユニットデータは、データユニットパラメータ、データユニットサイズ、種別コード、種別情報としてのカテゴリーコード、及びサービスデータ本体で構成されている。なお、以下このカテゴリーコードとサービスデータ本体とからなるデータをサービスデータという。
【００１５】
ここで、カテゴリーコードは、サービスデータ本体の内容がコンサートライブ情報、映画情報、演劇情報、食べ物情報、バーゲン情報等のいずれのカテゴリーに属するかを示すコードであり、コンサートライブ情報であれば「０１」、映画情報であれば「０２」のように、カテゴリー毎に異なる符号が用いられている。また、種別コードは、このカテゴリーコードがあることを示すコードである。なお、サービスデータ本体がいずれのカテゴリーにも属さない内容のものである場合には、種別コード及びカテゴリーコードとして各々ヌルデータが送信される。前記サービスデータ本体は、カテゴリーコードがコンサートライブ情報である場合図５に示すように、コンサートライブの名称を示す「△△△ライブ」、入場料金を示す「１５００」、会場の電話番号を示す「０３−１２３４−５６７８」等の項目からなる情報部分ｂと、各情報部分ｂの先頭に付加された「名」「￥」「電」等の、当該情報部分ｂの内容を示す識別子としての情報内容種別記号ａとが連続する構成である。
【００１６】
また、前記第１ＲＡＭ８には、図６に示すように、一時保管データメモリー８ａが設けられている。この一時保管データメモリー８ａには、前記カテゴリーコードを一時記憶するためのカテゴリーコード記憶エリア８ｂと、このカテゴリーコードとともに送信された前記サービスデータ本体を一時記憶するためのデータ本体記憶エリア８ｃとを有する複数の記憶エリアが設けられている。また、前記第２ＲＡＭ９には、図７に示すように、メモ帳メモリー９ａが設けられており、このメモ帳メモリー９ａには、カテゴリーコード「０１」〜「Ｎ」が予め書き込まれているとともに、各カテゴリーコード「０１」〜「Ｎ」毎にカテゴリー別記憶エリア９ｂが設けられている。
【００１７】
各カテゴリー別記憶エリア９ｂは、カテゴリーコードとともに送信されたサービスデータ本体の前記各情報内容種別記号ａ毎に、つまり前述したコンサートライブ情報の場合「名」「場」「￥」・・・毎に、対応する各情報部分ｂを記憶するためのｍ個の情報部分記憶エリア９ｃが設けられている。なお、このメモ帳メモリー９ａにおける各情報内容種別記号ａの配列順序「名」「場」「￥」・・・は、図５に示したサービスデータ本体における各情報内容種別記号ａの送信順序「名」「￥」「電」・・・とは異なっている。また、このメモ帳メモリー９ａには、カテゴリーコード無しのサービスデータ本体を格納するための、カテゴリー無しデータ記憶エリア９ｄが設けられている。
【００１８】
次に、以上の構成にかかる本実施の形態の動作について図８及び図１０に示したフローチャートに従って説明する。すなわち、制御部４は電源がオンとなっている状態において図８に示すフローに従って動作し、受信したサービスデータつまり図４に示したカテゴリーコードとサービスデータ本体とを、第１ＲＡＭ８の一時保管データメモリー８ａに一時格納する（ステップＡ１）。このステップＡ１の処理が実行されることにより、前記図６に示したように、一対のカテゴリーコード記憶エリア８ｂとデータ本体記憶エリア８ｃには、受信されたカテゴリーコードのコード番号とサービスデータ本体とが順次記憶される。したがって、このとき受信されたサービスデータ本体が図５に示したコンサートライブ情報であるとすると、同図に示した順序で情報内容種別記号ａと各情報部分ｂとがデータ本体記憶エリア８ｃに記憶される。
【００１９】
次に、ユーザーにより前記キー入力部６に設けられている呼び出し指定キーが操作されて、一時保管データメモリー８ａのいずれかのデータ本体記憶エリア８ｃが指定されると、該データ本体記憶エリア８ｃに格納されている一時格納データを呼び出し表示する（ステップＡ２）。このとき、コンサートライブ情報のデータ本体が記憶されているデータ本体記憶エリア８ｃが指定されたとすると、ステップＡ２の処理により、図９に示したように各行に２項目ずつのレイアウトであって且つデータ本体記憶エリア８ｃに格納されている順序で、コンサートライブ情報の内容種別記号ａと各情報部分ｂとの全てが表示部７に表示される。
【００２０】
そして、このように所望のカテゴリーのデータを表示部７に表示させ視認した後、この表示させたデータを第２ＲＡＭ９のメモ帳メモリー９ａに記憶させるべく、キー入力部６に設けられているメモ用キーをワンタッチ操作する。これにより、表示部７に表示されている表示データをメモ帳メモリー９ａに格納するための操作入力がなされて、この表示データをメモ帳メモリー９ａに保存するたの処理が開始される（ステップＡ３）。
【００２１】
すなわち、先ず対応する第１ＲＡＭ８のカテゴリーコード記憶エリア８ｂから、カテゴリーコードを読み出して制御部４内のレジスタＣＣに格納する（ステップＡ４）。次に、このレジスタＣＣに格納したデータがヌルデータであるか否かを判別する（ステップＡ５）。この判別の結果、レジスタＣＣに格納されているデータがヌルデータであって、今表示部７に表示されているデータがカテゴリーコード無しのデータである場合には、カテゴリー無しのメモ帳メモリー９ａの領域つまりカテゴリー無しデータ記憶エリア９ｄへ、表示データ内容を転送する（ステップＡ６）。このステップＡ６の処理により、表示部７に表示されていた内容と同一内容を表示し得るデータが、第２ＲＡＭ９のカテゴリー無しデータ記憶エリア９ｄに記憶される。
【００２２】
また、ステップＡ５での判別の結果、レジスタＣＣに格納されているデータがカテゴリーコードである場合には、このカテゴリーコードのコード番号が“０１”から“Ｎ”のいずれであるかを識別する（ステップＡ７）。そして、この識別の結果、カテゴリー番号が“０１”であった場合には、カテゴリー番号０１のメモ帳メモリー９ａの領域つまりカテゴリー別記憶エリア９ｂへ、表示データ内容をカテゴリー番号０１のフォーマット（設定項目、表示レイアウト）に従い転送する（ステップＡ８−０１）。また、他のカテゴリー番号であった場合にも同様に、当該カテゴリー番号のメモ帳メモリー９ａの領域へ表示データ内容をカテゴリー番号のフォーマットに従い転送し（ステップＡ８−０〜ステップＡ８−Ｎ）、しかる後に移動先のフォーマット内容でデータを表示する（ステップＡ９）。
【００２３】
ステップＡ８−０１〜ステップＡ８−Ｎの各処理は、図１０に示すフローに従って行われ、移動先の入力項目を先頭入力項目にセットする（ステップＢ１）。つまり、移動先が図７に示したカテゴリーコード０１のカテゴリー別記憶エリア９ｂであったとすると、このカテゴリーコード０１のカテゴリー別記憶エリア９ｂにおいて、最初の入力項目は「名」であるコンサートライブの名称であることから、このコンサートライブの名称が先頭入力項目として決定される。次に、移動先メモ帳メモリー９ａの入力項目の情報内容種別記号、つまり前記例の場合「名」をレジスタＳに格納する（ステップＢ２）。引き続き、移動データ（＝表示データ＝サービスデータ本体）の中から、Ｓに格納されている情報内容種別記号と同一の情報内容種別記号を検索し（ステップＢ３）、移動データのＳの後に続く情報部分つまり検索した情報内容種別記号の後に続く情報部分を、移動先（本例の場合、カテゴリー別記憶エリア９ｂ）の入力項目のメモリー領域（情報部分記憶エリア９ｃ）へ移動させる。次に、移動先の入力項目を次の入力項目に決定した後、移動先の入力項目が終わりか否かを判別し（ステップＢ６）、終わりでない場合には、ステップＢ２からの処理を繰り返し、終わりとなった場合にはＥＮＤに進む。
【００２４】
したがって、メモ帳メモリー９ａのカテゴリーコード０１の項目が「名」から「電」の６種類で構成されている本実施の形態においては、ステップＢ２〜ステップＢ６の処理が６回繰り返される。また、この６回繰り返された処理により、図５に示したように「名」「￥」「電」「場」「日」「時」の順序で送信されて第１ＲＡＭ８の一時保管データメモリー８ａに記憶されていたサービスデータ本体は、第２ＲＡＭ９のメモ帳メモリー９ａのカテゴリー別記憶エリア９ｂのフォーマットに従って、「名」「場」「￥」「日」「時」「電」の順序で各項目毎に記憶されることとなる。
【００２５】
なお、図１１（Ａ）に示すように、メモ帳のカテゴリー選択画面を表示部７に表示させ、カーソルを「コンサートライブ」に合わせてキー入力部６に設けられているリターンキーを操作する表示操作を行うと、前述した図８のフローにおけるステップＡ９の処理時の表示と同じく、同図（Ｂ）（Ｃ）に示すように、表示部７にはコンサートライブのカテゴリー別記憶エリア９ｂに記憶されている順序（表示レイアウト）で、項目の内容が表示されることとなる。
【００２６】
また、ステップＢ３において、移動データ（＝表示データ＝サービスデータ本体）の中から、Ｓに格納されている情報内容種別記号と同一の情報内容種別記号を検索した際、同一の情報内容種別記号がなかった場合には、ステップＢ４の処理を行わずにステップＢ５へ進み、その項目を未記憶の状態にして次の項目の移動・記憶を行う。また、この実施の形態においては、移動データ（＝表示データ＝サービスデータ本体）と、第２ＲＡＭ９のメモ帳メモリー９ａに設定されているコンサートライブの項目数とが同じ“６”であって、且つ同一の項目である場合を示したが、例えば移動データ（＝表示データ＝サービスデータ本体）の項目数が、メモ帳メモリー９ａに設定されている項目数よりも多い場合には、移動データの項目が残存していても、ステップＢ６の判別がＹＥＳとなる。よって、この場合には、多い分の項目のデータはメモ帳メモリー９ａに記憶されることなく捨てられ、メモ帳メモリー９ａに設定されている重要項目のみが記憶されて残存することとなる。無論、項目数が同じであっても、両者の項目の種類が異なれば、一致する項目のみがメモ帳メモリー９ａに記憶されることとなる。
【００２７】
また、本実施の形態においては、第１ＲＡＭ８に記憶させたデータを第２ＲＡＭ９のメモ帳メモリー９ａに移動・記憶させる場合を示したが、第２ＲＡＭ９に別途設けられている電話帳メモリーやスケジュールメモリーに、第１ＲＡＭ８の記憶データを移動・記憶させるようにしてもよい。すなわち、図１２（Ａ）に示した内容が移動データ（＝表示データ＝サービスデータ本体）であり、移動先として電話帳メモリーを選択し、同図（Ｂ）の電話帳メモリーに設定されている項目が場所と電話番号であった場合には、この電話帳メモリーには場所と電話番号が記憶され、同図（Ｃ）に示すように、場所と電話番号とが表示部に表示される。また、図１３（Ａ）に示すように、移動データがコンサートの出演者、日時、時間、場所の項目からなり、移動先としてスケジュールメモリーを選択した場合同図（Ｂ）に示したようにカレンダーを表示して日にちを指定し、このスケジュールメモリーに設定されている項目がコンサートの時間、出演者及び場所である場合には、該コンサートの時間、出演者及び場所が、スケジュールメモリーの該当する日にちに対応して記憶され、同図（Ｃ）に示すように、この記憶されたデータが表示される。
【００２８】
また、本実施の形態においては、受信した情報を一旦第１ＲＡＭ８の一時保管データメモリー８ａに記憶させ、しかる後に第２ＲＡＭ９のメモ帳メモリー９ａに記憶させるようにしたが、受信した情報を直接第２ＲＡＭ９のメモ帳メモリー９ａに記憶させるようにしてもよい。さらに、本実施の形態においては、第１ＲＡＭ８の一時保管データメモリー８ａに記憶させた情報のうち所望のカテゴリーに属するもののみを表示部７に表示させ、この表示させた情報を第２ＲＡＭ９のメモ帳メモリー９ａに記憶させるようにしたが、所定のキー操作により、第１ＲＡＭ８の一時保管データメモリー８ａに記憶された情報を一括して、第２ＲＡＭ９のメモ帳メモリー９ａに移動・記憶させるようにしてもよい。また、第２ＲＡＭ９のメモ帳メモリー９ａのフォーマットに関しては、ユーザーが見やすいように任意に変更あるいは作成できるようにしてもよい。
【００２９】
【発明の効果】
以上説明したように本発明は、情報毎に当該情報の種別を示す識別子が付加された複数の情報を受信して、識別子を識別し、この識別された前記識別子に基づき、前記情報を予め決定されている表示順序であって前記受信手段が受信した送信時の順序とは異なる順序で表示するようにしたことから、煩雑な手動操作を伴うことなく、複数の情報を整理して表示することができる。
さらに、受信された情報に付加されている種別情報の識別子を識別し、対応する記憶領域に、当該種別情報が付加されている情報を記憶させるようにしたことから、一層緻密な分類形態で情報を整理して記憶させて表示することができる。さらに、送信装置と受信装置を有する構成にあっては、受信した情報を整理して表示させる送受信システムの確立が可能となる。
【００３０】
また、識別手段により識別された識別子が示す情報に対応する記憶領域がない場合には、当該識別子が付加されている項目を記憶手段に記憶させない構成により、重要（必要）情報のみが記憶されて残存することになるので、メモリーが有効利用されるとともに、重要事項のみが表示されるので表示される情報が見やすくなる等の効果が得られる。さらに、本発明の実施の形態においては、受信した情報を記憶する第２の記憶手段を備え、所定のキー操作により第２の記憶手段に記憶されている情報を第１の記憶手段に記憶させ、第２の記憶手段に記憶されている情報を表示する構成により、受信して一時記憶された全ての項目からなる情報を一度表示させて見た後、キー操作により重要事項のみを転送させて残すことができる。その結果、一度見れば十分な項目は、残さないで済み、不要な項目が記憶されて残存する不都合を回避できる。また、記憶した各項目に対する表示レイアウト情報を記憶しておき、この記憶されている表示レイアウト情報に基づいて記憶されている情報を表示するようにした。よって、受信した情報をそのままのフォーマットで表示させるのではなく、受信装置に設定されている最適な表示レイアウトで表示させることができ、表示を見やすくすることができる。
【００３１】
【図面の簡単な説明】
【図１】本発明の第１の実施の形態を適用した移動体ＦＭ文字多重放送のシステム構成を示す概略説明図である。
【図２】サービス情報受信装置の構成を示すブロック図である。
【図３】サービス情報送信装置の構成を示すブロック図である。
【図４】送信信号フォーマットを示す図である。
【図５】サービスデータ本体の構成を示す図である。
【図６】第１ＲＡＭ内の一時保管データメモリーの構成を示す図である。
【図７】第２ＲＡＭ内のメモ帳メモリーの構成を示す図である。
【図８】制御部の処理手順を示すフローチャートである。
【図９】第１ＲＡＭ内の一時保管データメモリーから呼び出したデータに基づく表示状態を示す図である。
【図１０】図８のフローチャートにおけるステップＡ８−０１〜ステップＡ８−Ｎの処理内容を示すフローチャートである。
【図１１】第２ＲＡＭ内のメモ帳メモリーから呼び出したデータに基づく表示過程を示す図である。
【図１２】電話帳メモリーへの記憶及び電話帳メモリーに記憶したデータに基づく表示の過程を示す図である。
【図１３】スケジュールメモリーへの記憶及びスケジュールメモリーに記憶したデータに基づく表示の過程を示す図である。
【符号の説明】
１    サービス情報受信装置
３    ＦＭ放送局
４    制御部
６    キー入力部
７    表示部
８    第１ＲＡＭ
９    第２ＲＡＭ
７０  サービス情報送信装置
【図１】
0003837768.tif 000002
【図２】
0003837768.tif 000003
【図３】
0003837768.tif 000004
【図４】
0003837768.tif 000005
【図５】
0003837768.tif 000006
【図６】
0003837768.tif 000007
【図７】
0003837768.tif 000008
【図８】
0003837768.tif 000009
【図９】
0003837768.tif 000010
【図１０】
0003837768.tif 000011
【図１１】
0003837768.tif 000012
【図１２】
0003837768.tif 000013
【図１３】
0003837768.tif 000014